(57)【特許請求の範囲】
【請求項１】
水を天然鉱物に通してその水質に変化を与える水質改質部並びにこの水質改質部に対し水が流入及流出可能な少なくとも２つの流入出部を備えたタンクと、
このタンクを座部下に配置した椅子部からなる浴室用椅子において、
前記タンクの流入出部は、いずれか一方が給湯装置に接続され、他方がシャワーヘッドに接続されていると共に、
前記椅子部の左右の脚には、給湯装置からの給湯ホースを脚間に通過させる孔が設けられていることを特徴とする浴室用椅子。
【請求項２】
前記椅子部は檜で作製されていることを特徴とする請求項１に記載の浴室用椅子。
【発明の詳細な説明】
【技術分野】
【０００１】
本物品は、風呂場等に配置するもので、例えば給湯装置からの給湯水の水質を改質させて、そのシャワーを楽しむことができる浴室用椅子に関する。
【背景技術】
【０００２】
従来から、水の性質を改質させ、その水を種々の用途に利用する技術が開発されている。その一例は、温泉場に出向かなくても温泉につかることができるような効果を奏するものとして、水に温泉効果を与える考案である。
例えば、特許文献１では、業務用又は家庭用の水処理装置及び水処理方法に関し、詳しくは、温泉成分を含有する擬似温泉水の製造装置及び擬似温泉水製造方法が開示されている。
しかし、この擬似温泉水の製造装置では、陰極４と陽極５の間に、陽イオン濃縮室１、陽イオン交換体６が充填されている軟化処理室Ｄｃ、添加剤含有水溶液通水室Ｒ、陰イオン濃縮室２及び陽極室３が、陰極４側からこの順に配置されており、陽イオン濃縮室１と軟化処理室Ｄｃの間には陽イオン交換膜８ａが、軟化処理室Ｄｃと添加剤含有水溶液通水室Ｒの間には陽イオン交換膜８ｂが、添加剤含有水溶液通水室Ｒと陰イオン濃縮室２の間には陰イオン交換膜９ａが、陰イオン濃縮室２と陽極室３の間には陽イオン交換膜８ｃが配設されてなるもので、装置自体が複雑である。従ってそのメンテナンスも手間がかかることが推測される。
【０００３】
一方、特許文献２では、浴槽内に配置して、浴湯に有効成分を溶出させたり浴湯水に相応の刺激を与えて、家庭の浴湯に優れた温泉効果を有せしめる温泉器が開示されている。
この温泉器は、内箱体１、内蓋体２、外箱体３、外蓋体４からなり、内箱体１は、その内部に接触物質Ａとしてトルマリン鉱石（電気石の一種）の微粉末を適宜なセラミックス粉末と混合して焼結したペレットを配置している。かかる温泉器ではメンテナンスも手間がからず、更に外箱は浴槽内椅子として使用できる大きさとしたものであるから、任意の接触物質を使用しての温泉効果を満喫でき、而も浴槽内椅子として使用すると、半身浴（腰湯）を容易に行うことができる等の利点がある。
【特許文献１】特開２０００６−３５０２５号公報
【特許文献２】実用新案登録第３０３６８１５号公報
【０００４】
しかし、この温泉器では、浴槽内で使用される椅子として用途が限定されているというデメリットがあり、また接触物質の種類も限定されるものであった。
【発明の開示】
【発明が解決しようとする課題】
【０００５】
本発明は、浴槽内で使用される椅子として用途が限定されることなく、また各種天然鉱物によって水の性質を改質させることができる浴室用椅子を提供することを目的とする。
【課題を解決するための手段】
【０００６】
本発明は、水を天然鉱物に通してその水質に変化を与える水質改質部並びにこの水質改質部に対し水が流入及流出可能な、少なくとも２つの流入出部を備えたタンクと、このタンクを座部下に配置した椅子部からなる浴室用椅子である。
【０００７】
上記発明において、前記タンクの流入出部は、いずれか一方が給湯装置に接続され、他方がシャワーヘッドに接続されている。
【０００８】
上記発明において、前記椅子部の左右の脚には、給湯装置からの給湯ホースを脚間に通過させる孔が設けられていることを特徴とする浴室用椅子とした(以上、請求項１の発明)。
【０００９】
上記発明において、前記椅子部は檜で作製されていることを特徴とする浴室用椅子とした(請求項２の発明)。
【発明の効果】
【００１０】
上記発明によれば、タンクの水質改質部により改質される水と、椅子部の「檜」により放出される木の香りにより、浴室をリラクセーションの場に変えることができる。
【発明を実施するための最良の形態】
【００１１】
以下に、本発明に係る浴室用椅子を図面に基づき説明する。
図１は実施形態に係る浴室用椅子の斜視図、図２は同椅子の分解側面図、図３は同椅子のタンク部の断面図、図４は同椅子の使用状態説明図である。
なお、前記各図において、同一の符号は同一の構成を示すものとし、重複した説明は避けることとする。
【００１２】
図１に示したように、浴室用椅子（以下、単に「椅子」とも称する）１は、椅子部２と、その椅子部２の座部２０下に取付けられるタンク３からなる。
タンク３は、流入出部としての第１の口３０及び第２の口３１と、これらの口３０、３１から流入する水を天然鉱物に通してその水の性質を改質させる水質改質部３２を備えている。
【００１３】
前記椅子部２は、座部２０と脚部２１と桟部２２からなり、図２に図示したように、脚部２１が上下に分割されて、上椅子部２Ａと下椅子部２Ｂに分割可能に構成されている。
前記下椅子部２Ｂの両脚部２１、２１には上椅子部２Ａとの分割面２３に設けられた固定突起２４、２４と、これらの固定突起２４、２４の中間にその中心が略位置する上開きの半円形の窓２５と、この窓２５の下方に円窓２６、２６が設けられている。
一方、上椅子部２Ａの脚部２１、２１には前記固定突起２４、２４に対応する固定孔２７、２７と、前記窓２５、２５に対応する下開きの半円形の窓２８、２８が設けられている。
前記固定突起２４、２４が固定孔２７、２７に嵌め込まれると共に、前記窓２５、２５、２８、２８により形成される円形の開口に、前記タンク３の両端部３３、３３が挟まれるように取付けられている。
【００１４】
前記円窓２６、２６は、給湯装置からの給湯ホース４を脚部２１、２１間に通過させるもので、これらの孔２６、２６を介して給湯ホース４をタンク３の第１の口３０又は第２の口３１に取付けることにより、入浴者がホースに煩わされないようになっている。
【００１５】
以上のように構成された椅子部２は、木材の「檜」で作製されている。椅子部２を檜で作製することで、この椅子１を例えば現代の無機質なバスユニット等の浴室内に配置することによって、椅子１が檜独特の香りを放ち入浴者をリラックスさせることができる。
また、檜の「ヒノキチオール」は、抗菌作用を持ち、浴室内で菌を繁殖させない等の作用があるので、椅子１を浴室内に配置することで、浴室を清潔に保つことができる。
【００１６】
前記タンク３の水質改質部３２は円筒状に形成され、その内部には図３に図示したように、天然鉱物Ｇを中心に略左右対称に、Ａ〜Ｆの各天然鉱物が配置されている。
Ａ〜Ｇの各鉱物を例示すれば、天然鉱物Ａはトルマリン原石、同Ｂは戸室石、同Ｃは雲母、同Ｄは抗菌セラミック、同Ｅは医王石、同Ｆは活性炭、同Ｇは水晶となっている。
これらの天然鉱物Ａ〜Ｇに水を通すことで、水の原子の正電荷（＋）と負電荷（−）、その磁性（Ｎ極と、Ｓ極）がバランスよく融合し合う、安定した性質に改質させる（本書において水の初期化と表現する）ことができる。
【００１７】
トルマリン原石には、これが含有するミネラル成分を水に溶出させる作用かある。
戸室石は、水に含まれている塩素、硝酸、亜硝酸、大腸菌等を吸着する吸着作用、ＰＨ調整作用、酸化・還元等の触媒作用がある。
雲母は、酸化チタンを多く含んだルチン雲母が好ましい。このルチン雲母は、ＵＶカット等にも広く用いられるもので、水の屈折率を変えることができ、水を雲母に通すことで、改質された水により日焼けを抑える効果が期待される。
医王石は戸室石と同様の作用を奏するほか、人体に有用なミネラル成分を水の中に溶出させることができる。
活性炭は、有機物質等に対する吸着作用に優れた作用を奏する。
水晶は、古代より祈祷や儀式あるいは病気治療などに使用され、すべてに対しての調和を生み出し、それらを結合、強化して更なる力を発揮するように導く。具体的には新陳代謝を活発にして細胞の再生を促し、免疫力を高めて体内に蓄積された毒素を排泄する作用があるとされている。
また、水晶は、アルファ波を出すという特性があり、これを利用して水を滑らかにし、また水の持つ特性を水晶の持つ特性に組合わせることにより、水の浄化作用と水の初期化に有効に作用させることができる。
【００１８】
なお、天然鉱物Ａ〜Ｇの各鉱物は上記の構成に限定されるものではなく、その取捨選択により、種々の効果を得ることができる。その他の例として、天然鉱物Ｇの水晶に、ローズクォークとガーネットを加えてもよい。
ローズクォークは、慈悲、優しさ、和やかさを象徴する鉱物とされ、持つ人を柔らかな波動で包み、感情面での安定を促し、みずみずしい若さと健康を保つ力があるとされている。具体的には内分泌の働きを良くして肌のハリをもたせ、シワを減らす作用があるとされている。
ガーネットは、古くは「燃える石炭」と呼ばれ、身を守り優れた治療薬として用いられた宝石で、持つ人に変わらぬ愛情が保証され、忠実さや貞操を守る力があるとされている。具体的には血管の循環を良くすると共に、体内の毒素排泄する作用があるとされている。
【００１９】
このように、天然鉱物Ｇを中心に略左右対称にＡ〜Ｆの各天然鉱物を配置したことにより、椅子１の全体の重量のバランスを図ることができ、使い勝手が向上するという効果を奏する。また、人体のツボである「チャクラ」の一つの肛門に作用するアルファ波を出す水晶が、タンク３の中心の天然鉱物Ｇに配置される。
【００２０】
前記円筒状の水質改質部３２の両側部のフランジ３３、３３は、円形に形成されており、また前記フランジ３３、３３内側と、ＥとＦ間にそれぞれ中敷アミ３４が設けられている。
なお、前記フランジ３３内側に水を濾過する各種フィルターを設けても良い。
【００２１】
前記各口３０、３１は、前記フランジ３３の円形の略中心に設けられたもので、各口にはネジが切られ、それぞれ給湯ホース４又はシャワーホース５を接続できるようになっている。
【００２２】
この椅子１を使用するには、図４のように、前記口３０、３１のいずれかにシャワーホース５を接続し、他方の前記口３０、３１に給湯ホース４を接続した後、給湯部から給湯して、シャワーホース５のヘッド５０から温泉水を噴出させる。
【００２３】
以上のように構成された浴室用椅子１によれば、次のような作用効果を奏する。
１）  この浴室用椅子１をシャワー用椅子として使用することで、手軽に温泉気分を味わうことができる。
２）  浴室用椅子１のタンク３に収容されている天然鉱物に水を通し、その水に含まれる有機物質等に対する吸着作用等が奏され、またミネラル成分が水に溶出することで、水の性質を改質させることができる。
また、この浴室用椅子１のタンク３を通した水には、水道水や蒸留水と比較して、電気伝導度が高く、より多くの電解質が含まれているという特質がある。
３）  椅子部２の「檜」の香りが浴室内に立ち上ることで、温泉気分を高めることができる。
４）  椅子部２の「檜」の「ヒノキチオール」により、浴室を清潔に保つことができる。
５）  タンク３は、椅子部２の座部２０下に配置されているので、使用に際し、煩わしさがない。
【００２４】
その他、浴室用椅子１をそのまま湯船に沈めて使用することもできる。この場合には水圧や水中で発生する水流により各口３０、３１から水が流入したり流出することで上記効果を得ることができる。
また、浴室用椅子１をそのまま湯船に沈めて使用する場合には、入浴者の毛穴や皮脂線から脂が溶け出して、美肌効果を奏する。
【図面の簡単な説明】
【００２５】
【図１】実施形態に係る浴室用椅子の斜視図、
【図２】同椅子の椅子部の分解側面図、
【図３】同椅子の断面図、
【図４】同椅子の使用状態説明図である。
【符号の説明】
【００２６】
１  浴室用椅子                          ２  椅子部
３  タンク                              ４  シャワーホース
２０  座部
２１  脚部                              ２２  桟部
３０  第１の口                          ３１  第２の口
３２  水質改質部                        ３３  フランジ
３４  中敷アミ
２Ａ  上椅子部                          ２Ｂ  下椅子部
２４、２４  固定突起                    ２５  窓
２６  円窓                              ２７  固定孔
２８、２８  窓                          ３０  第１の口
３１  第２の口
４  ヘッド
５  給湯ホース
Ａ〜Ｆ  各天然鉱物
【図１】
0005112912.tif 000002
【図２】
0005112912.tif 000003
【図３】
0005112912.tif 000004
【図４】
0005112912.tif 000005